(57)【要約】【課題】無線ＬＡＮ基地局に障害が起きて通信状態が悪化した場合に、自動で通信を復旧する無線ＬＡＮ基地局の二重化システムを提供する。【解決手段】第１の無線ＬＡＮ基地局１００は動作中で、第２の無線ＬＡＮ基地局２００は電源ＯＦＦまたは省電力モードであり、同じサポートエリアになるように設置されている。第１の無線ＬＡＮ基地局１００に障害が起き無線ＬＡＮの通信状態が悪化したとき、障害を検出し、待機中である第２の無線ＬＡＮ基地局２００を起動する。第２の無線ＬＡＮ基地局２００の起動を確認すると、第１の無線ＬＡＮ基地局１００の設定を第２の無線ＬＡＮ基地局２００に送信する。第２の無線ＬＡＮ基地局２００の設定が第１の無線ＬＡＮ基地局１００と同じ設定になったことを確認すると、第１の無線ＬＡＮ基地局１００は電源ＯＦＦまたは省電力モードになる。【選択図】      図１
2004165810.tif 000002
【特許請求の範囲】
【請求項１】
動作中である第１の無線ＬＡＮ基地局と、待機中である第２の無線ＬＡＮ基地局を備え、
各無線ＬＡＮ基地局は、
自無線ＬＡＮ基地局の障害を検出し、障害検出信号を発生する障害検出部と、
二重化先である無線ＬＡＮ基地局のアドレスをあらかじめ記憶しており、二重化先との制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とをそれぞれ有し、
前記第１の無線ＬＡＮ基地局は、障害を検出すると、待機中である前記第２の無線ＬＡＮ基地局に起動要求を送信し、
前記第２の無線ＬＡＮ基地局の起動を確認すると、前記第１の無線ＬＡＮ基地局の設定を前記第２の無線ＬＡＮ基地局に送信し、
前記第２の無線ＬＡＮ基地局の設定が前記第１の無線ＬＡＮ基地局と同じ設定になったことを確認すると、前記第１の無線ＬＡＮ基地局は待機状態になることを特徴とする無線ＬＡＮ基地局の二重化システム。
【請求項２】
動作中である第１の無線ＬＡＮ基地局と、待機中である第２の無線ＬＡＮ基地局と、管理サーバを備え、
各無線ＬＡＮ基地局は、
自無線ＬＡＮ基地局の障害を検出し、障害検出信号を発生する障害検出部と、
前記管理サーバのアドレスをあらかじめ記憶しており、前記管理サーバとの制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とをそれぞれ有し、
前記管理サーバは、各無線ＬＡＮ基地局それぞれのアドレスをあらかじめ記憶しており、各無線ＬＡＮ基地局の制御信号を送受信し、その制御信号に従って、各部を制御するサーバ側二重化制御部を有し、
前記第１の無線ＬＡＮ基地局は、障害を検出すると、前記管理サーバに障害検出を送信し、
前記管理サーバは、待機中である前記第２の無線ＬＡＮ基地局に起動要求を送信し、
前記管理サーバは、前記第２の無線ＬＡＮ基地局の起動を確認すると、前記第１の無線ＬＡＮ基地局に設定データの要求を送信し、
前記第１の無線ＬＡＮ基地局は、自己の設定を前記管理サーバに送信し、
前記管理サーバは、前記第１の無線ＬＡＮ基地局の設定を前記第２の無線ＬＡＮ基地局に送信し、
前記管理サーバは、前記第２の無線ＬＡＮ基地局の設定が前記第１の無線ＬＡＮ基地局と同じ設定になったことを確認すると、前記第１の無線ＬＡＮ基地局に待機要求を送信し、
前記第１の無線ＬＡＮ基地局は、待機状態になることを特徴とする無線ＬＡＮ基地局の二重化システム。
【請求項３】
動作中である第１の無線ＬＡＮ基地局と、待機中である第２の無線ＬＡＮ基地局を備え、
各無線ＬＡＮ基地局は、
自無線ＬＡＮ基地局の障害を検出し、障害検出信号を発生する障害検出部と、
二重化先である無線ＬＡＮ基地局のアドレスをあらかじめ記憶しており、二重化先との制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とをそれぞれ有し、
前記第１の無線ＬＡＮ基地局は、設定変更を検出すると、待機中の前記第２の無線ＬＡＮ基地局に設定変更データを送信し、
前記第２の無線ＬＡＮ基地局は、受信した設定変更データを自己の設定に反映させ、
前記第１の無線ＬＡＮ基地局は、障害を検出すると、前記第２の無線ＬＡＮ基地局に起動要求を送信し、
前記第２の無線ＬＡＮ基地局の起動を確認すると、前記第１の無線ＬＡＮ基地局は待機状態になることを特徴とする無線ＬＡＮ基地局の二重化システム。
【請求項４】
動作中である第１の無線ＬＡＮ基地局と、待機中である第２の無線ＬＡＮ基地局と、管理サーバを備え、
各無線ＬＡＮ基地局は、
自無線ＬＡＮ基地局の障害を検出し、障害検出信号を発生する障害検出部と、
前記管理サーバのアドレスをあらかじめ記憶しており、前記管理サーバとの制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とをそれぞれ有し、
前記管理サーバは、各無線ＬＡＮ基地局それぞれのアドレスをあらかじめ記憶しており、各無線ＬＡＮ基地局の制御信号を送受信し、その制御信号に従って、各部を制御するサーバ側二重化制御部を有し、
前記第１の無線ＬＡＮ基地局は、設定変更を検出すると、前記管理サーバに設定変更データを送信し、
前記管理サーバは、その設定変更データを待機中である前記第２の無線ＬＡＮ基地局に送信し、
前記第２の無線ＬＡＮ基地局は、受信した設定変更データを自己の設定に反映させ、
前記第１の無線ＬＡＮ基地局は、障害を検出すると、前記管理サーバに障害検出を送信し、
前記管理サーバは、前記第２の無線ＬＡＮ基地局に起動要求を送信し、
前記管理サーバは、前記第２の無線ＬＡＮ基地局の起動を確認すると、前記第１の無線ＬＡＮ基地局に待機要求を送信し、
前記第１の無線ＬＡＮ基地局は、待機状態になることを特徴とする無線ＬＡＮ基地局の二重化システム。
【請求項５】
動作中である第１の無線ＬＡＮ基地局と、待機中である第２の無線ＬＡＮ基地局と、管理サーバを備え、
各無線ＬＡＮ基地局は、
自無線ＬＡＮ基地局の障害を検出し、障害検出信号を発生する障害検出部と、
前記管理サーバのアドレスをあらかじめ記憶しており、前記管理サーバとの制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とをそれぞれ有し、
前記管理サーバは、各無線ＬＡＮ基地局それぞれのアドレスをあらかじめ記憶しており、各無線ＬＡＮ基地局の制御信号を送受信し、その制御信号に従って、各部を制御するサーバ側二重化制御部と、
動作中の無線ＬＡＮ基地局の設定変更データを保存する設定保存部とを有し、
前記第１の無線ＬＡＮ基地局は、設定変更を検出すると、前記管理サーバに設定変更データを送信し、
前記管理サーバは、その設定変更データを前記設定保存部に保存し、
前記第１の無線ＬＡＮ基地局は、障害を検出すると、前記管理サーバに障害検出を送信し、
前記管理サーバは、待機中である前記第２の無線ＬＡＮ基地局に起動要求を送信し、
前記管理サーバは、前記第２の無線ＬＡＮ基地局の起動を確認すると、前記設定保存部に保存された設定変更データを前記第２の無線ＬＡＮ基地局に送信し、
前記管理サーバは、前記第２の無線ＬＡＮ基地局の設定が前記第１の無線ＬＡＮ基地局と同じ設定になったことを確認すると、前記第１の無線ＬＡＮ基地局に待機要求を送信し、
前記第１の無線ＬＡＮ基地局は、待機状態になることを特徴とする無線ＬＡＮ基地局の二重化システム。
【請求項６】
待機中の無線ＬＡＮ基地局または管理サーバの前記二重化制御部は、動作中の無線ＬＡＮ基地局に対し、定期的に生存確認を行い、
予め決められた回数生存確認をできない場合、待機中の前記無線ＬＡＮ基地局を起動することを特徴とする請求項３〜５のいずれかに記載の無線ＬＡＮ基地局の二重化システム。
【請求項７】
動作中の無線ＬＡＮ基地局と、管理サーバを備え、
前記無線ＬＡＮ基地局は、
自無線ＬＡＮ基地局の障害を検出し、障害検出信号を発生する障害検出部と、
前記管理サーバのアドレスをあらかじめ記憶しており、前記管理サーバとの制御信号を送受信し、その制御信号に従って、各部を制御する二重化制御部と、
この二重化制御部からの命令に従い、自無線ＬＡＮ基地局を起動および待機させる電源制御部と、
自無線ＬＡＮ基地局の設定を保存し、前記二重化制御部からの命令に従い設定を送受信する設定制御部とを有し、
前記管理サーバは、障害の通知先である管理者のメールアドレスをあらかじめ記憶し、
前記無線ＬＡＮ基地局から障害検出を受信すると、前記管理者のメールアドレスに障害を通知することを特徴とする無線ＬＡＮ基地局の二重化システム。
【請求項８】
動作中の前記無線ＬＡＮ基地局は、
前記障害検出部に、障害予期機能を有し、
障害を予期した場合、障害予期通知を前記管理サーバまたは待機中の前記無線ＬＡＮ基地局に送信し、
前記管理サーバまたは待機中の前記無線ＬＡＮ基地局は、待機中の前記無線ＬＡＮ基地局の起動処理を行うことを特徴とする請求項１〜７のいずれかに記載の無線ＬＡＮ基地局の二重化システム。
【請求項９】
動作中の前記無線ＬＡＮ基地局は、
自無線ＬＡＮ基地局の通信状態を監視する通信監視部を有し、
自無線ＬＡＮ基地局にて障害を予期した場合、前記通信監視部が通信中の無線ＬＡＮクライアントがいないことを確認してから、前記無線ＬＡＮ基地局の切り替え処理を行うことを特徴とする請求項８記載の無線ＬＡＮ基地局の二重化システム。
【発明の詳細な説明】
【０００１】
【発明の属する技術分野】
本発明は、無線ＬＡＮ基地局を二重化して通信の信頼性を向上させた無線ＬＡＮ基地局の二重化システムに関する。
【０００２】
【従来の技術】
従来、移動体通信システム等において、現用系装置の設定情報を待機系装置にも設定しておき、障害による切替時に設定情報の転送を無くしている装置がある（例えば、特許文献１参照）。
【０００３】
【特許文献１】
特開２００１−１０３１５６号公報
【０００４】
【発明が解決しようとする課題】
しかしながら、従来は、無線ＬＡＮ基地局が何らかの原因により障害が起きた場合、または、通信状態が著しく悪化した場合、手動で復旧しなければならず、無線ＬＡＮシステムは運用上、信頼性を保証できなかった。
【０００５】
そこで本発明は、無線ＬＡＮ基地局に障害が起きて通信状態が悪化した場合に、自動で通信を復旧する無線ＬＡＮ基地局の二重化システムを提供することを目的とする。
【０００６】
【課題を解決するための手段】
上述の課題を解決するため、本発明では、図１に示すように、第１の無線ＬＡＮ基地局１００は動作中で、第２の無線ＬＡＮ基地局２００は電源ＯＦＦまたは省電力モードであり、第１の無線ＬＡＮ基地局１００と第２の無線ＬＡＮ基地局２００は、同じサポートエリアになるように設置されている。
【０００７】
第１の無線ＬＡＮ基地局１００に障害が起き無線ＬＡＮの通信状態が悪化したとき、障害を検出し、待機中である第２の無線ＬＡＮ基地局２００を起動する。第２の無線ＬＡＮ基地局２００の起動を確認すると、第１の無線ＬＡＮ基地局１００の設定を第２の無線ＬＡＮ基地局２００に送信する。第２の無線ＬＡＮ基地局２００の設定が第１の無線ＬＡＮ基地局１００と同じ設定になったことを確認すると、第１の無線ＬＡＮ基地局１００は電源ＯＦＦまたは省電力モードになる。
【０００８】
このようにして本願発明では、無線ＬＡＮ基地局を二重化し、動作中の無線ＬＡＮ基地局に障害があった場合、待機中の無線ＬＡＮ基地局を自動的に障害のあった無線ＬＡＮ基地局と同じ設定にして起動しているので、無線ＬＡＮ基地局に障害が起きたとしても自動で復旧ができる。
【０００９】
【発明の実施の形態】
次に、本発明の実施の形態について図面を参照して説明する。
【００１０】
図１は、本発明の第１の実施形態の構成を示す。動作中である第１の無線ＬＡＮ基地局１００と、待機中（電源ＯＦＦまたは省電力モード）である第２の無線ＬＡＮ基地局２００を含む。また、第１の無線ＬＡＮ基地局１００と第２の無線ＬＡＮ基地局２００は、同じサポートエリアになるように設置されている。
【００１１】
第１及び第２の無線ＬＡＮ基地局は、障害検出部、二重化制御部、電源制御部、設定制御部をそれぞれ有する。障害検出部は、自無線ＬＡＮ基地局の障害を検出し、障害検出信号を発生する。二重化制御部は、二重化先である無線ＬＡＮ基地局のアドレスをあらかじめ記憶しており、二重化先との制御信号を送受信し、その制御信号に従って、各部を制御する。電源制御部は、二重化制御部からの命令に従い、自無線ＬＡＮ基地局を起動および待機させる。設定制御部は、自無線ＬＡＮ基地局の設定を保存し、二重化制御部からの命令に従い設定を送受信する。
【００１２】
各無線ＬＡＮ基地局の無線ＬＡＮ  Ｉ／Ｆは、無線ＬＡＮクライアントと無線による通信を行うインターフェース部であり、ＬＡＮ  Ｉ／Ｆは、ＬＡＮとの接続を行うインターフェース部であり、ブリッジは、各インターフェース部を接続する機能を有する。
【００１３】
次に、図１および図２を参照して本実施形態の動作について説明する。
【００１４】
動作中である第１の無線ＬＡＮ基地局１００に障害が起きると障害検出部１０１は障害検出信号を発生する。二重化制御部１０２は障害検出信号を受信すると、記憶している二重化先である第２の無線ＬＡＮ基地局２００に対し、起動要求を送信する（Ｓ１）。
【００１５】
待機中である第２の無線ＬＡＮ基地局２００の二重化制御部２０２が起動要求を受信すると、電源制御部２０３を制御し、第２の無線ＬＡＮ基地局２００を起動させる。
【００１６】
起動が完了すると、二重化制御部２０２は起動完了通知を送信する（Ｓ２）。
【００１７】
二重化制御部１０２は起動完了通知を受信すると、設定制御部１０４から保存されている設定データを呼び出し、設定要求および設定データを送信する（Ｓ３，Ｓ４）。
【００１８】
二重化制御部２０２は設定要求を受信すると、設定制御部２０４を制御し、受信した設定データを反映させる。設定の反映が完了すると、設定完了通知を送信する（Ｓ５）。
【００１９】
二重化制御部１０２は設定完了通知を受信すると、電源制御部１０３を制御し、第１の無線ＬＡＮ基地局１００を待機状態にする。
【００２０】
なお、起動と待機の実現方法として公知の技術であるＷａｋｅＯｎＬＡＮ技術やＩＥＥＥ８０２．１１の省電力制御が考えられる。
【００２１】
図３は、第２の実施形態の構成を示し、図１の実施形態の構成に加え管理サーバ３００を有する点で異なる。
【００２２】
管理サーバ３００は、二重化制御部３０１を有する。二重化制御部３０１は、二重化されている無線ＬＡＮ基地局それぞれのアドレスをあらかじめ記憶しており、それぞれの制御信号を送受信し、その制御信号に従って、各部を制御する。
【００２３】
各無線ＬＡＮ基地局の二重化制御部１０２と２０２は、あらかじめ管理サーバのアドレスを記憶しており、管理サーバ３００との信号を送受信する。
【００２４】
次に、図３および図４を参照して第２の実施形態の動作について説明する。
【００２５】
動作中である第１の無線ＬＡＮ基地局１００に障害が起きると障害検出部１０１は障害検出信号を発生する。二重化制御部１０２は管理サーバ３００に障害検出信号を送信する（Ｓ１１）。
【００２６】
管理サーバ３００の二重化制御部３０１は障害検出信号を受信すると、記憶している二重化先である第２の無線ＬＡＮ基地局２００に対し、起動要求を送信する（Ｓ１２）。
【００２７】
待機中である第２の無線ＬＡＮ基地局２００の二重化制御部２０２が起動要求を受信すると、電源制御部２０３を制御し、第２の無線ＬＡＮ基地局２００を起動させる。
【００２８】
起動が完了すると、二重化制御部２０２は起動完了通知を送信する（Ｓ１３）。
【００２９】
二重化制御部３０１は起動完了通知を受信すると、障害のあった無線ＬＡＮ基地局１００に設定データ要求を送信する（Ｓ１４）。
【００３０】
二重化制御部１０２は設定データ要求を受信すると、設定制御部１０４から保存されている設定データを呼び出し、管理サーバ３００に送信する（Ｓ１５）。
【００３１】
二重化制御部３０１は設定データを受信すると、新たに起動した無線ＬＡＮ基地局２００に設定要求および設定データを送信する（Ｓ１６，Ｓ１７）。
【００３２】
二重化制御部２０２は設定要求を受信すると、設定制御部２０４を制御し、受信した設定データを反映させる。設定の反映が完了すると、設定完了通知を送信する（Ｓ１８）。
【００３３】
二重化制御部３０１は設定完了通知を受信すると、障害のあった無線ＬＡＮ基地局１００に待機要求を送信する（Ｓ１９）。
【００３４】
二重化制御部１０２は待機要求を受信すると、電源制御部１０３を制御し、第１の無線ＬＡＮ基地局１００を待機状態にする。
【００３５】
第２の実施形態は、二重化のペアとなるアドレス管理を管理サーバで行うため、管理サーバ配下の無線ＬＡＮ基地局は管理サーバのアドレスさえ知っていればよい。これにより、管理サーバは複数の二重化された無線ＬＡＮ基地局ペアを集中管理することが出来るようになるという新たな効果を有する。
【００３６】
第３の実施形態は、図１の実施形態の構成において、動作中の無線ＬＡＮ基地局１００は、設定変更を検出する設定制御部１０４と、待機中の無線ＬＡＮ基地局２００に対し、設定変更要求と設定変更データを送信する二重化制御部１０２を有する。
【００３７】
図１および図５を参照して第３の実施形態の動作について説明する。
【００３８】
動作中の無線ＬＡＮ基地局１００に初期設定がされると、設定制御部１０４は設定変更を検出し設定変更検出信号を発生する。二重化制御部１０２は設定制御部１０４から設定変更データを呼び出し、設定変更要求および設定変更データを送信する（Ｓ２１，Ｓ２２）。
【００３９】
二重化制御部２０２は設定変更要求を受信すると、設定制御部２０４を制御し、受信した設定変更データを反映させる。設定変更の反映が完了すると、設定変更完了通知を送信する（Ｓ２３）。
【００４０】
動作中の無線ＬＡＮ基地局１００の設定が変更されるたび、待機中の無線ＬＡＮ基地局２００に設定変更が反映される（Ｓ２４〜Ｓ２６）。
【００４１】
動作中の無線ＬＡＮ基地局１００に障害が起きると障害検出部１０１は障害検出信号を発生する。二重化制御部１０２は障害検出信号を受信すると、起動要求を送信する（Ｓ２７）。
【００４２】
二重化制御部２０２が起動要求を受信すると、電源制御部２０３を制御し、待機中の無線ＬＡＮ基地局２００を起動させる。
【００４３】
起動が完了すると、二重化制御部２０２は起動完了通知を送信する（Ｓ２８）。
【００４４】
二重化制御部１０２は起動完了通知を受信すると、電源制御部１０３を制御し、無線ＬＡＮ基地局１００を待機状態にする。
【００４５】
第３の実施形態は第２の実施形態の構成で実現してもよい。その場合のシーケンスは図６のようになる。
【００４６】
第３の実施形態は障害発生前にあらかじめ動作中無線ＬＡＮ基地局の設定を待機中無線ＬＡＮ基地局に反映されるため、無線ＬＡＮ基地局の設定のバックアップが出来るようになり、障害発生時の無線ＬＡＮ基地局の復旧の時間を短く出来るという新たな効果有する。
【００４７】
図７は、第４の実施形態の構成を示し、図３の第２の実施形態の構成に加え管理サーバ３００の設定保存部３０２を有する点で異なる。設定保存部３０２は、動作中の無線ＬＡＮ基地局１００の設定変更データを保存する。
【００４８】
図７および図８を参照して第４の実施形態の動作について説明する。
【００４９】
Ｓ４４〜Ｓ４５およびＳ４７〜Ｓ４９は、第２の実施形態の動作と同一のため説明は省略する。
【００５０】
動作中の無線ＬＡＮ基地局１００に初期設定がされると、設定制御部１０４は設定変更を検出し設定変更検出信号を発生する。二重化制御部１０２は管理サーバ３００に設定変更通知を送信する（Ｓ４１）。
【００５１】
二重化制御部３０１は設定変更通知を受信した場合、動作中の無線ＬＡＮ基地局１００に設定変更データ要求を送信する（Ｓ４２）。
【００５２】
二重化制御部１０２は設定変更データ要求を受信した場合、設定制御部１０４から設定変更データを呼び出し、管理サーバ３００に送信する（Ｓ４３）。
【００５３】
二重化制御部３０１は設定変更データを受信した場合、設定変更データを設定保存部３０２に保存する。
【００５４】
同様に動作中の無線ＬＡＮ基地局１００の設定が変更されるたび、管理サーバ３００の設定保存部３０２に保存する。
【００５５】
二重化制御部３０１は起動完了通知を受信した場合、設定保存部３０２から設定データを呼び出し、設定要求および設定データを送信する（Ｓ４７，Ｓ４８）。
【００５６】
第４の実施形態は、障害発生前にあらかじめ動作中無線ＬＡＮ基地局の設定を管理サーバに保存されるため、複数の無線ＬＡＮ基地局の設定を自動でバックアップ出来るという新たな効果を有する。
【００５７】
第５の実施形態は、第３の実施形態または第４の実施形態の構成において、待機中の無線ＬＡＮ基地局または管理サーバが動作中の無線ＬＡＮ基地局に対し、定期的に生存確認を行う二重化制御部を有する。
【００５８】
動作中の無線ＬＡＮ基地局は生存確認を受信すると生存確認応答を送信する。
【００５９】
待機中の無線ＬＡＮ基地局または管理サーバは動作中の無線ＬＡＮ基地局からの生存確認応答があらかじめ決められた回数（例えば３回）連続して受信出来ないとき、動作中の無線ＬＡＮ基地局に障害が起きたと判断し、待機中の無線ＬＡＮ基地局を起動し障害を復旧する。
【００６０】
生存確認の替わりに、動作中の無線ＬＡＮ基地局から定期的に生存通知を送出し、生存通知が受信出来なくなった場合に動作中の無線ＬＡＮ基地局に障害が起きたと判断する方法でもよい。
【００６１】
第５の実施形態は、管理サーバまたは待機中の無線ＬＡＮアクセスポイントで障害を検出するため、動作中の無線ＬＡＮ基地局がハードウェアの故障、電源ＯＦＦ、ケーブルが抜かれるなどが原因で障害通知が出せない場合でも、無線ＬＡＮ基地局の復旧が出来るようになるという新たな効果を有する。
【００６２】
図９は、第６の実施形態の構成を示し、図７の第４の実施形態の構成に加え、管理サーバ３００は、障害の通知先である管理者４００のメールアドレスをあらかじめ記憶し、管理者４００に障害を通知する二重化制御部３０１を有し、第２の無線ＬＡＮ基地局２００が動作中の無線ＬＡＮ基地局１００と同一サポートエリアに設置されていない点が異なる。
【００６３】
管理サーバ３００は、あらかじめ動作中の無線ＬＡＮ基地局１００の設定を設定保存部３０２に保存しておく。このシーケンスは図８のＳ４１〜Ｓ４３と同一である。
【００６４】
二重化制御部３０１は動作中の無線ＬＡＮ基地局から障害検出を受信すると、あらかじめ記憶している障害通知先である管理者４００に障害通知および障害のあった無線ＬＡＮ基地局をメールなどで通知する。
【００６５】
管理者４００は障害通知を受信すると、予備の無線ＬＡＮ基地局２００を障害のあった無線ＬＡＮ基地局と交換する。
【００６６】
管理サーバ３００は無線ＬＡＮ基地局２００を起動し、設定保存部３０２に保存してある設定データを無線ＬＡＮ基地局２００に反映させる。
【００６７】
第６の実施形態は、予備の無線ＬＡＮ基地局があれば、動作中の無線ＬＡＮ基地局毎に待機無線ＬＡＮ基地局を用意する必要がないので、無線ＬＡＮ基地局の数を低減出来るという新たな効果を有する。
【００６８】
第７の実施形態は、第１の実施形態、第２の実施形態または第３の実施形態の構成において、障害検出部が障害を予期する機能を有する。
【００６９】
障害の予期は、無線ＬＡＮドライバが有するエラー情報を元に障害検出部が判断する。たとえば、パケット廃棄率が異常に高くなっていたり、送受信パケット数が０（無線ＬＡＮ  Ｉ／Ｆが機能停止）になっている場合、障害と判断する。判断できるパラメータは複数あってもよいし、条件の組み合わせによって障害と判断してもよい。
【００７０】
動作中の無線ＬＡＮ基地局において、障害検出部が障害を予期した場合、障害予期通知を管理サーバまたは待機中の無線ＬＡＮ基地局に送信する。そして待機中の無線ＬＡＮ基地局を起動し、障害が予期される無線ＬＡＮ基地局の設定を反映する。
【００７１】
第７の実施形態は、実際に障害が起きる前に無線ＬＡＮ基地局を切り替えるので、無線ＬＡＮ基地局配下のユーザに不都合を与えないという新たな効果を有する。
【００７２】
第８の実施形態は、実施形態７の構成に加え、図１０に示す動作中の無線ＬＡＮ基地局１００の通信状態を監視する通信監視部１０５を有する。
【００７３】
動作中の無線ＬＡＮ基地局１００において障害を予期した場合、通信監視部１０５において通信中の無線ＬＡＮクライアントがいないことを確認してから、無線ＬＡＮ基地局の切り替えを行う。
【００７４】
第８の実施形態は、通信中のクライアントがいないときに無線ＬＡＮ基地局を切り替えるため、ユーザにとって無線ＬＡＮ基地局切り替えによるパケットロスや通信断がなくなるという新たな効果を有する。
【００７５】
【発明の効果】
以上説明したように、本発明によれば、アクセスポイントに障害が起き、通信状態が悪化した場合、自動で通信を復旧出来ることにある。この結果、無線ＬＡＮシステム運用上の信頼性が向上する。
【００７６】
その理由は、無線ＬＡＮ基地局を二重化し、動作中の無線ＬＡＮ基地局に障害があった場合、待機中の無線ＬＡＮ基地局を自動的に障害のあった無線ＬＡＮ基地局と同じ設定にして起動しているためである。
【図面の簡単な説明】
【図１】本発明の第１の実施形態の構成図である。
【図２】本発明の第１の実施形態の動作を示すシーケンス図である。
【図３】本発明の第２の実施形態の構成図である。
【図４】本発明の第２の実施形態の動作を示すシーケンス図である。
【図５】本発明の第３の実施形態の動作を示すシーケンス図である。
【図６】本発明の第３の実施形態の他の動作を示すシーケンス図である。
【図７】本発明の第４の実施形態の構成図である。
【図８】本発明の第４の実施形態の動作を示すシーケンス図である。
【図９】本発明の第６の実施形態の構成図である。
【図１０】本発明の第８の実施形態の無線ＬＡＮ基地局の構成図である。
【符号の説明】
１００  第１の無線ＬＡＮ基地局
１０１  障害検出部
１０２  二重化制御部
１０３  電源制御部
１０４  設定制御部
１０５  通信監視部
２００  第２の無線ＬＡＮ基地局
２０１  障害検出部
２０２  二重化制御部
２０３  電源制御部
２０４  設定制御部
３００  管理サーバ
３０１  二重化制御部
３０２  設定保存部
４００  管理者
【図１】
2004165810.tif 000003
【図２】
2004165810.tif 000004
【図３】
2004165810.tif 000005
【図４】
2004165810.tif 000006
【図５】
2004165810.tif 000007
【図６】
2004165810.tif 000008
【図７】
2004165810.tif 000009
【図８】
2004165810.tif 000010
【図９】
2004165810.tif 000011
【図１０】
2004165810.tif 000012